(57)【特許請求の範囲】
【請求項１】
横設する除糠網に挿嵌して成る精白ロールの回転駆動によりその間隙たる精白室内の玄米を精白するための精白機構と、玄米貯留槽から前記精白室内へ玄米を落とし込むべき落とし込み口を開閉するための開閉機構と、前記精白室の精米出口端側に圧接して当該精白室内に滞在する玄米に対し印圧する圧迫体を備えた精白度調節機構と、前記除糠網から糠を剥落させて吸引し、その糠を分離するためのサイクロンに対して空気輸送する吸引ファンとを有する精米機において、
前記精白室内の上流側から下流側に向けて噴風を噴き込むための風圧印加手段を備え、前記風圧印加手段は墳風を発生させる起風手段と該墳風を前記精白室内に導入するための墳風導入路とを有し、前記起風手段は前記吸引ファンであって、前記墳風導入路は前記吸引ファンの空気輸送管から分岐した墳風管であることを特徴とする精米機。
【請求項２】
請求項１において、前記空気輸送管と前記墳風管との分岐内部には風向を前記空気輸送管に沿う第１の向きと前記墳風管へ導出する第２の向きとに切換えるための風向切換機構を備えて成ることを特徴とする精米機。
【請求項３】
請求項２において、前記開閉機構による前記落とし込み口の開成と閉成とに応じて前記風向切換機構による風向を第１の向きと第２の向きとに関係付けて前記風向切換機構を前記開閉機構に従動させるための連係手段を有することを特徴とする精米機。
【請求項４】
請求項３において、前記連係手段は、一端を前記開閉機構の押し引きロッドに固定すると共に他端を風向切換機構のフラップに固定して成る可撓性案内管付き線条材であることを特徴とする精米機。
【発明の詳細な説明】
【０００１】
【発明が属する技術分野】
本発明は、摩擦圧力式の精米機に関し、特に、精米動作の開始前又は終了後において精白室に残留する精米や糠を精白室外へ自動排出するための除去装置に関する。
【０００２】
【従来の技術】
摩擦圧力式の小型精米機は、一般に、横設する除糠網に挿嵌して成る精白ロールの回転駆動によりその間隙たる精白室内の玄米を精白するための精白機構と、玄米タンクから精白室内へ玄米を落とし込むべき落とし込み口を開閉するためのシャッター機構と、精白室の精米出口端側に圧接して当該精白室内に滞在する玄米に対し印圧する圧迫板を備えた精白度調節機構とを備えている。玄米タンクから落とし込み口を介して玄米入口空間に落下した玄米は、圧迫板により印圧されながら、回転する精白ロールの攪拌フィン（又は緩い戻しスクリュー）と除糠網とで摩擦されるため、糠が剥離されて精白化し、精米として精米出口端から出口樋へ排出される。
【０００３】
【発明が解決しようとする課題】
しかしながら、上記の小型精米機にあっては次のような問題点があった。即ち、玄米タンク内の玄米量のすべてが落下し、精米出口端から精米が排出されなくなった精白動作完了の際、精白室内には一定量（約１合程度）の精米が残留したままとなっている。玄米無供給状態で精白ロールを回転駆動させても、精白ロールの精白室相当部分はロール軸方向に延びる攪拌フィン又は緩い戻しスクリューとなっているため、この部分では精米の先送り作用が一切働かないためである。このように、精白室内に残留米があると、例えば粳米に代えて糯米を精米する際などでは、予め残留した粳米を精白室外へ排除しなければならないが、精白度調節機構及び除糠網を精白ロールから取り外し残留米を取り除く手間を強いることになる。この組み付け部材の取り外し作業は一般に煩雑であるため、使用者は往々にして残留米の後始末を怠ることが多く、精白した米には前回精白した米の一部が混入してしまい、殊に家庭での少量精米の場合にはその残留米の混合率が高くなるため、食味に影響を及ぼす。
【０００４】
そこで、上記問題点に鑑み、本発明の課題は、精白動作の開始前又は終了後において精白室内の残留米や糠を精白室外へ自動排出することができる精米機を提供することにある。
【０００５】
【課題を解決するための手段】
上記課題を解決するために、本発明の講じた手段は、残留米を自動排出するための噴風式除去装置を設けた点にある。
【０００６】
即ち、本発明は、横設する除糠網に挿嵌して成る精白ロールの回転駆動によりその間隙たる精白室内の玄米を精白するための精白機構と、玄米貯留槽から精白室内へ玄米を落とし込むべき落とし込み口を開閉するための開閉機構と、精白室の精米出口端側に圧接して当該精白室内に滞在する玄米に対し印圧する圧迫体を備えた精白度調節機構とを有する精米機において、精白室内に対し上流側から下流側に向けて噴風を噴き込むための風圧印加手段を備えて成ることを特徴とする。
【０００７】
精米終了後に、開閉機構により落とし込み口を閉成すると共に、圧迫体を精米出口端より離間させて隙間を形成し、精白ロールを回転駆動させていると、残留米は精白室内で遊動回転しているので、風圧印加手段を起動し、噴風が精白室内へ噴きまれると、その墳風は精米出口端へ向けて流下するため、遊動回転する残留米は風動により浮流輸送で先送りされて精米出口端の隙間より外部へ排除される。このため、手間要らずの残留米の自動排出を実現でき、併せて精白室内の糠や塵埃なども清掃することができる。勿論、精米開始前に残留米の自動排除処理を行っても良い。殊に、コイン投入式精米機にあっては、精米開始前に予め精白室内の異物の排除が可能となり、異物混入を未然に防止できる。
【０００８】
風圧印加手段としては、墳風を発生させる起風手段と、その墳風を精白室内に導入するための墳風導入路とを有する構成を採用できる。起風手段が間欠的な段波墳風を発生させる起風手段である場合、精白室内の精米は除糠網の網目などに嵌り込み易動性を失った小米などもあるが、間欠的な段波墳風の脈圧によって揺さぶりを掛けて引き離すことができるため、一様墳流よりも一掃作用が向上する。墳風導入路の墳気口は、精白ロールと落とし口との間に画成された玄米入口空間に臨む位置にあることが望ましい。その他の部位では墳気口の形成自体が困難であり、また精白ロールの周面が接近しすぎているため反跳流が生じて墳風を精白室の上流側から下流側に向けて流すことが一層難しくなるからである。また、噴気口の向きは精米出口端に向いた状態で精白ロールに対し斜交していることが望ましい。精白室内への圧空の印加だけでなく、反跳流をできるだけ減少させて、直墳流を精白室へ導入できるからである。
【０００９】
そして、除糠網から糠を剥落させて吸引し、糠を分離するためのサイクロンに対して空気輸送する吸引ファンを備えて成る精米機においては、起風手段として当該吸引ファンを兼用し、墳風導入路としては吸引ファンの空気輸送管から分岐した墳風管とする構成を採用できる。吸引ファンから発生した墳風は一部分岐して墳風管へ送り込まれるため、前述したような残留米の後処理を実現できる。斯かる構成では、部品点数の削減により、コンパクト化及び低コスト化を実現できることは勿論であるが、精白室に噴き込む墳風が精白室内の糠を強く吹き飛ばし、その糠が吸引ファンを介してサイクロンで一部回収できると共に、その余の糠は精白室と吸引ファンとの間で一定時間だけ循環することになるため、精白室内の糠は精米出口端の隙間より外部に放散され難くなり、精米出口端より排出される残留米に含まれる糠の混合率を低減できる。
【００１０】
ここで、空気輸送管と墳風管との分岐内部に風向を空気輸送管に沿う第１の向きと墳風管へ導出する第２の向きとに切換えるための風向切換機構を備えて成る場合には、分岐内部では風向切換機構により墳流の択一方向選択が可能となり、精白室へ送り込む墳風圧を増強できるため、残留米の排出動作の迅速化が実現する。
【００１１】
また、開閉機構による落とし込み口の開成と閉成とに応じて風向切換機構による風向を第１の向きと第２の向きとに関係付けて風向切換機構を開閉機構に従動させるための連係手段を有する場合には、残留米の後処理においては、開閉機構を操作して落とし込み口を閉成するだけで、風向を第２の向きに連動切換えすることができ、風向切換機構を個別に操作する手間を排することができ、使い勝手の向上に資する。
【００１２】
なお、この連係手段としては、一端を開閉機構の押し引きロッドに固定すると共に他端を風向切換機構のフラップに固定して成る可撓性案内管付き線条材とすることができる。可撓性案内管付き線条材を用いれば、開閉機構の押し引きロッドと風向切換機構のフラップとの間に邪魔になる種々の部材が存在する場合でも、引き回して接続が可能となるため、機構レイアウトの大幅な設計変更を招かずに済み、また低コスト化も実現できる。
【００１３】
【発明の実施の形態】
次に、本発明の一実施形態を添付図面に基づいて説明する。図１は本発明の実施形態に係る小型精米機を示す縦断側面図で、図２はその一部切欠き正面図である。
【００１４】
本例の小型精米機は、縦長筐体１の中に、ホッパ状の玄米貯留タンク２と、精白室３の玄米を精白するための精白機構と、玄米貯留タンク２の落とし込み口２ａを開閉するためのシャッター機構と、圧迫板４により玄米の白度を調節するための精白度調節機構と、精白室３から糠を吸引してこれを外部のサイクロン５へ排送して糠を分離する糠風選機構と、精白室４内の残留米を排除するための墳風式除去装置とを有している。
【００１５】
玄米貯留タンク２の落とし口２ａにはシャッター板６がスライド自在に設けられている。このシャッター板６は押し引きロッド７のノブ７ａを把持して押し引きすることで落とし口２ａが開閉可能となっている。この落とし込み口２ａは精白ブロック８の玄米入口空間８ａに連通している。
【００１６】
精白ブロック８は鋳物製で、その中に横設した断面六角形の筒状除糠網９と、この除糠網９に挿嵌して片持ち支持された精白ロール１０とを有している。この精白ロール１０は内筒１１に外筒１２を外嵌したもので、内筒１１の基端側には吸気口１１ａを有し、その先端側には複数の通孔１１ｂが形成されている。外筒１２のうち玄米入口空間８ａに相当する部分には送りスクリュー１２ａが形成されており、この送りスクリュー１２ａによって玄米を除糠網９内の精白室３へ案内する。外筒１２の除糠網９内に略相当する部分は攪拌フィン又は緩い戻しスクリュー１２ｂとなっており、玄米を滞在させて摩擦圧力により精白化する。この攪拌フィン又は緩い戻しスクリュー１２ｂの回転方向後側の基部には通気スリット１２ｃが形成されている。筐体１から側方に飛び出た精白ロール１０の軸部１０ａには主プーリ１３が固定され、この主プーリ１３と電動モータ（図示せず）との間には２連Ｖベルト（図示せず）が巻き掛けられている。
【００１７】
精白室３の精米出口端側の出口受け１６に圧接して当該精白室３内に滞在する玄米に対し印圧する圧迫板４は調圧ピン１４に対してバネ１４ａの付勢力を以って取り付けられている。この調圧ピン１４は白度ダイヤル１５のカム面に対して推動するカムフォロアである。なお、１６ａは、出口受け１６と圧迫板１４との隙間から排出される精米を受け落とすための出口樋である。
【００１８】
除糠網９の真下には糠を受ける吸引室１７が設けられており、この吸引室１７は吸引管１８を介して軸流吸い込み遠心吐き出し型の吸引ファン１９に接続され、その糠排出案内管２０はサイクロン５に接続されている。吸引ファン１９は精白ロール１０の軸部１０ａに固定した原動プーリ２２ａとファン軸１９ｂに固定した従動プーリ２２ｂとに巻き掛けられたＶベルト２２ｃによって駆動回転する。
【００１９】
吸引ファン１９の遠心吐き出し流を通す排気管１９ａからは墳風管２１が分岐接続されており、この糠排出案内管２０の墳気口２１ａは玄米入口空間８ａに臨む位置に接続されている。その噴気口２１ａの向きは精米出口端に向いた状態で精白ロール１０に対し斜交している。排気管１９ａに直結した糠排出案内管２０と排気管１９ａの管壁に接続した墳風管２１との分岐部分には旋回可能なフラップ２５が内蔵されている。このフラップ２５が排気管１９ａの管壁に衝合すると、それにより墳風管２１の口が閉塞される。このフラップ２５は押し引きロッド７の押し引き操作に連動するようになっている。即ち、芯線２６ａの一端が押し引きロッド７に固定すると共に芯線２６ａの他端をフラップ２５の旋回中心Ｓの作用片２５ａに固定した可撓性案内管付きワイヤ２６を備えている。
【００２０】
押し引きロッド７を操作して落とし込み口２ａを開くと、玄米貯留タンク２から落とし込み口２ａを介して玄米入口空間８ａに落下し、墳風管２１の口はフラップ２５で閉塞されている。玄米入口空間８ａに落下した玄米は、送りスクリュー１２ａによって精白室３へ先送りされ、圧迫板４により印圧されながら、回転する精白ロール１０の攪拌フィン（又は緩い戻しスクリュー）１２ｂと除糠網９とで抵抗摩擦されるため、糠が剥離されて精白化し、精米として精米出口端から出口樋１７へ排出される。精白室３内で分離された糠は吸引室１７から吸引フャン１９，糠排出案内管２０を介してサイクロン５へ排送されて、糠がそのコーン５ａの直下に自由落下して回収される。なお、精白動作中は、吸気口１１ａから吸い込まれた外気が内筒１１の中空を介して精白室３相当部分の通穴１ｂ，通気スリット１２ｃ，除糠網９の網目を経由して吸引室１７へ流れ込む。
【００２１】
精米終了後に、押し引きロッド７を操作して落とし込み口２ａを閉成して墳風管２１の入口を開き糠排出案内管２０の入口をフラップ２５で塞ぐと共に、圧迫板４を精米出口端より離間させて隙間を形成し、精白ロール１０を回転駆動させていると、残留米は精白室内で遊動回転しているので、墳風管２１を介した噴風が精白室３内へ噴き込まれると、その墳風は精米出口端へ向けて流下するため、遊動回転する残留米は風動により浮流輸送で先送りされて精米出口端の隙間より外部へ排除される。このため、手間要らずの残留米の自動排出を実現でき、併せて精白室内の糠や塵埃なども清掃することができる。勿論、精米開始前に残留米の自動排除処理を行っても良い。
【００２２】
本例の吸引ファン１９は軸流吸い込み遠心吐き出し型であって、排気管１９ａは羽根回転平面上にあるラジアル配置となっている。このため、排気管１９ａ内には１枚１枚の羽根の通過毎、間欠的な段波墳風が発生する。精白室３内の精米は除糠網９の網目などに嵌り込み易動性を失った小米などもあるが、間欠的な段波墳風の脈圧によって揺さぶりを掛けて引き離すことができるため、一様墳流よりも一掃作用が向上する。
【００２３】
本例では、精白室３内に送り込む墳風を発生させるための起風手段として、糠を吸引する吸引ファン１９を用いているため、部品点数の削減により、コンパクト化及び低コスト化を実現できる。また、精白室３に噴き込む墳風が精白室３内の糠を強く吹き飛ばし、その糠が吸引ファン１９を介してサイクロンで一部回収できると共に、その余の糠は精白室３と吸引ファン１９との間で一定時間だけ循環することになるため、精白室３内の糠は精米出口端の隙間より外部に放散され難くなり、精米出口端より排出される残留米に含まれる糠の混合率を低減できる。
【００２４】
更に、フラップ２５の風向切換機構をシャッター機構と連動させるため可撓性案内管付きワイヤ２６を備えているので、風向切換機構を個別に操作する手間を排することができ、使い勝手の向上に資する。押し引きロッド７とフラップ２５との間に邪魔になる種々の部材が存在する場合でも、引き回して接続が可能となるため、機構レイアウトの大幅な設計変更を招かずに済み、また低コスト化も実現できる。
【００２５】
【発明の効果】
以上説明したように、本発明は、精白動作の開始前又は終了後において精白室に残留する精米や糠を精白室外へ自動排出するための噴風式除去装置を備えているため、次のような効果を奏する。
【００２８】
即ち、除糠網から糠を剥落させて吸引し、糠を分離するためのサイクロンに対して空気輸送する吸引ファンを備えて成る精米機においては、起風手段として当該吸引ファンを兼用し、墳風導入路としては吸引ファンの空気輸送管から分岐した墳風管とする構成である。吸引ファンから発生した墳風は一部分岐して墳風管へ送り込まれるため、残留米の後処理を実現できる。斯かる構成では、部品点数の削減により、コンパクト化及び低コスト化を実現できることは勿論であるが、精白室に噴き込む墳風が精白室内の糠を強く吹き飛ばし、その糠が吸引ファンを介してサイクロンで一部回収できると共に、その余の糠は精白室と吸引ファンとの間で一定時間だけ循環することになるため、精白室内の糠は精米出口端より外部に放散され難くなり、精米出口端より排出される残留米に含まれる糠の混合率を低減できる。
【００２９】
また、空気輸送管と墳風管との分岐内部に風向を空気輸送管に沿う第１の向きと墳風管へ吸引ファン導出する第２の向きとに切換えるための風向切換機構を備えて成る場合には、分岐内部では風向切換機構により択一方向選択が可能となるため、精白室に送り込む墳風圧を増強できるため、残留米の排出動作を迅速化できる。
【００３０】
更に、開閉機構による落とし込み口の開成と閉成に応じて風向切換機構による風向を第１の向きと第２の向きとに関係付けて風向切換機構を開閉機構に従動させるための連係手段を有する場合には、残留米の後処理においては、開閉機構を操作して落とし込み口を閉成するだけで、風向を第２の向きに連動切換えすることができ、風向切換機構を個別に操作する手間を排することができ、使い勝手の向上に資する。
【図面の簡単な説明】
【図１】本発明の実施形態に係る小型精米機を示す縦断側面図である。
【図２】同実施例に係る小型精米機を示す一部切欠き正面図である。
【符号の説明】
１…縦長筐体
２…ホッパ状の玄米貯留タンク
２ａ…落とし込み口
３…精白室
４…圧迫板
５…サイクロン
５ａ…コーン
６…シャッター板
７…押し引きロッド
７ａ…ノブ
８…精白ブロック
８ａ…玄米入口空間
９…除糠網
１０…精白ロール
１０ａ…軸部
１１…内筒
１１ａ…吸気口
１１ｂ…通孔
１２…外筒
１２ａ…送りスクリュー
１２ｂ…攪拌フィン又は緩い戻しスクリュー
１２ｃ…通気スリット
１３…主プーリ
１４…調圧ピン
１４ａ…バネ
１５…白度ダイヤル
１６…出口受け
１６ａ…出口樋
１８…吸引管
１９…吸引ファン
１９ａ…排気管
１９ｂ…ファン軸
２０…糠排出案内管
２１…墳風管
２１ａ…墳気口
２２ａ…原動プーリ
２２ｂ…従動プーリ
２２ｃ…Ｖベルト
２５…フラップ
２５ａ…作用片
Ｓ…旋回中心
２６…可撓性案内管付きワイヤ
２６ａ…芯線
【図１】
0003618293.tif 000002
【図２】
0003618293.tif 000003